(57)【要約】【課題】室内の採光や通風の確保を妨げることなく、駐輪スペースと共用廊下とを仕切ることができるようにしながら、駐輪スペースの共用廊下側スペースを住戸の居住者がプライベートに有効活用できるようにする。【解決手段】共用廊下２と、その共用廊下側に面する窓６付き外壁７との間に、駐輪スペース１２を設けてある駐輪スペース付き集合住宅であって、空調用室外機１３の設置スペース１４を、共用廊下側から駐輪スペースへの出入りが可能に、駐輪スペースの共用廊下側に設けてある。【選択図】図２
2007291769.tif 000002
【特許請求の範囲】
【請求項１】
共用廊下と、その共用廊下側に面する窓付き外壁との間に、駐輪スペースを設けてある駐輪スペース付き集合住宅であって、
空調用室外機の設置スペースを、前記共用廊下側から前記駐輪スペースへの出入りが可能に、前記駐輪スペースの前記共用廊下側に設けてある駐輪スペース付き集合住宅。
【請求項２】
前記設置スペースの上側を覆う覆い材を設けてある請求項１記載の駐輪スペース付き集合住宅。
【請求項３】
前記設置スペースの上側に、前記共用廊下側から前記窓側への視界を遮る遮蔽材を設けてある請求項１又は２記載の駐輪スペース付き集合住宅。
【発明の詳細な説明】
【技術分野】
【０００１】
本発明は、共用廊下と、その共用廊下側に面する窓付き外壁との間に、駐輪スペースを設けてある駐輪スペース付き集合住宅に関する。
【背景技術】
【０００２】
上記駐輪スペース付き集合住宅は、共用廊下側に窓付き外壁を設けて、共用廊下側の窓を通して室内の採光や通風を確保し易くしながら、その結果、共用廊下側からの室内への見通しが良くなって、各住戸のプライバシーが侵され易いという懸念を緩和できるように、プライベートな駐輪スペースを共用廊下と窓付き外壁との間に設けて、窓付き外壁を共用廊下から離してある。
従来の上記駐輪スペース付き集合住宅では、室内の採光や通風の確保を妨げることなく、駐輪スペースと共用廊下とを仕切ることができるように、駐輪スペースの共用廊下側に腰壁などの高さが低い仕切り壁を設けてある（例えば、特許文献１参照）。
【０００３】
【特許文献１】特開２００３−１６６３５６号公報
【発明の開示】
【発明が解決しようとする課題】
【０００４】
このため、駐輪スペースの共用廊下側スペースが仕切り壁の設置スペースに専有され、住戸の居住者がプライベートに有効活用できない欠点がある。
本発明は上記実情に鑑みてなされたものであって、室内の採光や通風の確保を妨げることなく、駐輪スペースと共用廊下とを仕切ることができるようにしながら、駐輪スペースの共用廊下側スペースを住戸の居住者がプライベートに有効活用できるようにすることを目的とする。
【課題を解決するための手段】
【０００５】
本発明の第１特徴構成は、共用廊下と、その共用廊下側に面する窓付き外壁との間に、駐輪スペースを設けてある駐輪スペース付き集合住宅であって、空調用室外機の設置スペースを、前記共用廊下側から前記駐輪スペースへの出入りが可能に、前記駐輪スペースの前記共用廊下側に設けてある点にある。
【０００６】
〔作用及び効果〕
空調用室外機の設置スペースを、共用廊下側から駐輪スペースへの出入りが可能に、駐輪スペースの共用廊下側に設けてあるので、空調用室外機を駐輪スペースの共用廊下側に設けてある設置スペースに設置することによって、その空調用室外機で、室内の採光や通風の確保を妨げることなく、駐輪スペースと共用廊下とを仕切ることができ、しかも、駐輪スペースの共用廊下側スペースを空調用室外機の設置スペースとして、住戸の居住者がプライベートに有効活用できる。
【０００７】
本発明の第２特徴構成は、前記設置スペースの上側を覆う覆い材を設けてある点にある。
【０００８】
〔作用及び効果〕
設置スペースの上側を覆う覆い材を設けてあるので、設置スペースに設置した空調用室外機を覆い材で覆って、その空調用室外機を保護できるとともに、共用廊下側から見た外観を向上させることができる。
【０００９】
本発明の第３特徴構成は、前記設置スペースの上側に、前記共用廊下側から前記窓側への視界を遮る遮蔽材を設けてある点にある。
【００１０】
〔作用及び効果〕
設置スペースの上側に、共用廊下側から窓側への視界を遮る遮蔽材を設けてあるので、共用廊下側からの室内への見通しを遮ることができ、住戸のプライバシーが侵され難い。
【発明を実施するための最良の形態】
【００１１】
以下に本発明の実施の形態を図面に基づいて説明する。
図１は、本発明による駐輪スペース付き多層階集合住宅を示し、片側に手摺壁１を備えていて屋外に開放されている共用廊下２に沿って複数の住戸３を各階に設け、各住戸３には、共用廊下２側から出入りするための玄関４やその玄関４に通じる室内廊下５などを設け、共用廊下２側に面する窓６付きの外壁７，８で仕切られた二つの洋室９，１０を廊下５を挟んで設けてある。
【００１２】
そして、図２，図３にも示すように、二つの洋室９，１０のうちの、一方の洋室９における窓６付きの外壁７と共用廊下２との間に自転車１１の駐輪スペース１２を設け、空調用室外機１３の設置スペース１４を、その駐輪スペース１２の共用廊下２側に、共用廊下２側及び玄関４側から人Ｍや自転車１１の出入りが可能に設けてある。
【００１３】
前記空調用室外機１３の設置スペース１４は、空調用室外機１３の基部を固定するための基礎ブロック１５を予め設けてあり、空調用室外機１３を、必要に応じて、通風方向が外壁７に直交する方向になるようにその基礎ブロック１５に固定できるようにしてある。
【００１４】
また、基礎ブロック１５に固定した空調用室外機１３の上面側と側面側とを覆えるように、設置スペース１４の上側を覆う板状の覆い材１６を備えた横向きＬ字状の面台１７を設け、その覆い材１６の上側と上階共用廊下２の床スラブ１８との間には、共用廊下２側から窓６側への視界を遮るルーバーや格子状パネルなどの遮蔽材１９を設けてある。
【００１５】
〔その他の実施形態〕
１．本発明による駐輪スペース付き集合住宅は、屋内の共用廊下と、その共用廊下側に面する窓付き外壁との間に駐輪スペースを設け、その駐輪スペースの共用廊下側に空調用室外機の設置スペースを設けてあっても良い。
２．本発明による駐輪スペース付き集合住宅は、いわゆるミニバイクなどの原動機付き自転車の駐輪スペースの共用廊下側に空調用室外機の設置スペースを設けてあっても良い。
３．本発明による駐輪スペース付き集合住宅は、完成時に空調用室外機をその設置スペースに設置してあっても、完成後に必要に応じて空調用室外機を設置できるようにその設置スペースを設けてあっても良い。
４．本発明による駐輪スペース付き集合住宅は、一階部分の住戸に対応してのみ、空調用室外機の設置スペースを駐輪スペースの共用廊下側に設けてあっても良い。
５．本発明による駐輪スペース付き集合住宅は、設置スペースの上側を覆う板状の覆い材を備えた下向きコの字状の面台を設けてあっても良い。
６．本発明による駐輪スペース付き集合住宅は、空調用室外機設置用の基礎ブロックを予め設けてないものであっても良い。
７．本発明による駐輪スペース付き集合住宅は、ルーバーや格子状パネルなどの遮蔽材を必ずしも設けてないものであっても良く、設置スペースの上側を覆う覆い材の上面を、植物などの植木鉢を載置できるようにしてあっても良い。
８．本発明による駐輪スペース付き集合住宅は、空調用室外機が共用廊下側から目立たないように、空調用室外機の共用廊下側に、ルーバーや格子状パネルなどの通気性を備えた遮蔽材を設置してあっても良い。
【図面の簡単な説明】
【００１６】
【図１】駐輪スペース付き集合住宅の概略平面図
【図２】要部の縦断面図
【図３】要部の斜視図
【符号の説明】
【００１７】
２  共用廊下
６  窓
７  外壁
１２  駐輪スペース
１３  空調用室外機
１４  設置スペース
１６  覆い材
１９  遮蔽材
【図１】
2007291769.tif 000003
【図２】
2007291769.tif 000004
【図３】
2007291769.tif 000005